(57)【要約】      （修正有）【課題】靴の足への固定と、スポーツシューズとスリッパの素早い切り替えを実現し、従来の靴では不十分だった機能の汎用性を高める多機能靴を提供する。【解決手段】４面幅広ストリップ支持構造を有する多機能靴であって、幅広ストリップ体Ａ１〜Ａ８、補強体Ｂ１−２、Ｂ１−３、力吸収体Ｃ０、Ｃ１を含み、幅広ストリップ体を力吸収体の４つの面に貫通させることで４面を保持し、力吸収体の底部を貫通した補強体が幅広ストリップ体からの引張力を吸収する。幅広ストリップ体は、幅広ストリップ布と固定粘着布Ａ１０〜Ａ１３が足首の周囲に折りたたまれ保持される構造を採用する。柔軟な靴本体の足首の周囲に、幅広ストリップ体が貫通する幅広穴Ｃ２が設けられる。【選択図】図２
0003231075.tif 000002
【実用新案登録請求の範囲】
【請求項１】
幅広ストリップ体、補強体、力吸収体を含み、幅広ストリップ体を力吸収体の４つの面に貫通させることで４面を保持し、力吸収体の底部を貫通した補強体が幅広ストリップ体からの引張力を吸収することを特徴とする４面幅広ストリップ支持構造を有する多機能靴。
【請求項２】
幅広ストリップ体は、幅広ストリップ布と固定粘着布が足首の周囲に折りたたまれ保持される構造を採用することを特徴とする請求項１に記載の４面幅広ストリップ支持構造を有する多機能靴。
【請求項３】
柔軟な靴本体の足首の周囲に、幅広ストリップ体が貫通する幅広穴が設けられることを特徴とする請求項１に記載の４面幅広ストリップ支持構造を有する多機能靴。
【請求項４】
靴底の上下面を貫通する装置であって、底部に牽引体の変位を防止するロック体が設けられ、頂部に幅広ストリップ体の方向を案内するフォースガイド体が設けられ、フォースガイド体とロック体の間に幅広ストリップ体の引張力を吸収する牽引体が設けられることを特徴とする請求項１に記載の４面幅広ストリップ支持構造を有する多機能靴。
【請求項５】
靴本体足首は、折りたたみ可能な足首柔軟本体を有し、足首柔軟本体上に穴貫通構造が設けられ、幅広ストリップ体が穴貫通構造を介して力吸収体に接続され、力吸収体が足裏力吸収体と足首力吸収体で構成され、力吸収構造が垂直力吸収構造と水平力吸収構造で構成され、垂直力吸収構造が複数の垂直ストリップで構成され、垂直ストリップが上向きに先細になり、Ｖ字形に傾斜し、互いに交差融合し、頂端が対向するように接続され、水平構造がブリッジ接続または接着接続によって垂直構造の間に接続される、ことを特徴とする請求項１に記載の４面幅広ストリップ支持構造を有する多機能靴。
【請求項６】
固定粘着布は、３層４面の粘着構造であり、中間層は背中合わせの両面一体式粘着布を使用し、上層と下層は片面粘着布を使用することを特徴とする請求項２に記載の４面幅広ストリップ支持構造を有する多機能靴。
【請求項７】
靴底材料の上下両面を貫通する牽引体は、ワイヤーまたは糸であることを特徴とする請求項４に記載の４面幅広ストリップ支持構造を有する多機能靴。
【請求項８】
牽引体の両端は、牽引体の両端を固定するための内部プッシュオン構造を有することを特徴とする請求項４に記載の４面幅広ストリップ支持構造を有する多機能靴。
【請求項９】
フォースガイド体は、幅広ストリップ体の湾曲を案内する中空管構造であり、支持構造が足首周囲の足首側面、左下側面、右下側面、上側面に沿って４つの側面を支持することを特徴とする請求項４に記載の４面幅広ストリップ支持構造を有する多機能靴。
【請求項１０】
靴のかかと柔軟本体の上半部分が周辺に間接的に接続され、底部が靴底に直接接続され、足首が水平位置にさせることでスリッパの機能を実現し、靴のかかと柔軟本体は、足首の力吸収体構造であり、中央に窪みがあり、窪みの最深点の深さが力吸収構造に応じて変えることができることを特徴とする請求項５に記載の４面幅広ストリップ支持構造を有する多機能靴。
【考案の詳細な説明】
【技術分野】
【０００１】
本考案は、靴産業の技術分野に属し、特に新規な支持構造を有する多機能靴に関する。
【背景技術】
【０００２】
市販されている従来の靴では、一般に靴ひもまたは粘着布によって靴の結びの程度を調節し、足裏とつま先の空間を支持することで、前端支持構造を形成している。この方法の欠点は、靴のかかとの形状や材料の違いにより、フィット性が期待できないため、支持の快適性が人によって異なることである。さまざまな人の足に統一された靴の最後の基準を使用する場合、不均一な包み込みが避けられない。
【０００３】
従来のサマーシューズの場合、前部の支持設計により足裏やつま先に密着し、湿気や熱が発生しやすいが、足裏とつま先の空間を確保し、運動中に靴が緩まないことに加えて、足元の熱を逃がすようにするために、本考案の支持構造を有する多機能靴を提案する。
【０００４】
従来の面ファスナーは表面が凸凹しており、皮膚に局所的な痛みを引き起こす可能性があるため、皮膚に直接貼るべきではない。本考案では、射出成形フック付きの粘着布を使用しており、背中合わせの３層４面粘着布構造を使用しているため、粘着布が痛みを起こさずに肌に密着し、快適性が増し、耐久性も向上する。
【０００５】
従来の靴のかかとの経年変化とそれに作用する力により、靴のかかとの材料が適切に設計されていないと、変形によって足のサポートが不十分になったり、足をこすったりする可能性があり、最悪の場合、水ぶくれや出血を引き起こす可能性がある。この欠点を克服するために、本考案では、折りたたみ可能な柔軟な足首力吸収体と幅広ストリップ体を組み合わせて、足首が摩擦せずに足のかかとに密着し、上記の問題を解決することができる。
【考案の概要】
【０００６】
本考案の主な目的は、靴のかかとを足のかかとに密着させ、足裏とつま先により大きな空間を提供することで、靴の快適性の問題を解決し、足首の４面を支持する幅広ストリップ体により、足裏力吸収体と折りたたみ可能な足首力吸収体と組み合わせて、４面支持構造を有する多機能靴を提供することであり、上記の目的を達成するために、本考案は以下の技術的解決策を提供する。
【０００７】
足首の包み込み面積および快適性を向上させるために、フラットで柔軟な幅広ストリップを使用して靴本体を支持する。
【０００８】
幅広ストリップ体のコースに合わせるために、靴本体には幅広の穴が設けられ、このように設計された靴本体は力吸収体と呼ばれている。
【０００９】
靴本体をより強固に固定するために、幅広ストリップ体の固定粘着布は背中合わせの多層粘着布を重ねて固定したものを使用する。
【００１０】
多機能性を実現するために、幅広ストリップ体を通すことができる折りたたみ式で柔軟な力吸収体を使用する。
【００１１】
さらに、強度と快適性を両立させるために、補強体の引張力ワイヤーは、柔軟で弾力性のある材料からなり、且つ幅広ストリップ体の最大引張力に耐えることができる。
【００１２】
さらに、コストを低減するために、補強体がまだ取り付けられていない場合、力吸収体自身の材料が歩行時やジョギング時の幅広ストリップ体の引張力に耐える強度を有する。
【００１３】
さらに、力吸収体の側面の力吸収強度を高めるために、靴底を貫通する補強体により力吸収体の限界を補強する。
【００１４】
好ましくは、力吸収体の穴は、穿孔によって、または代替的に２層配置および突出縁を有する表面穴によって形成され、穴の形状および数は、力吸収体の形状に従って変化する。
【００１５】
好ましくは、幅広ストリップ体は、布と粘着布の組み合わせからなる。布-ループ-粘着布を組み合わせてもよい。
【００１６】
好ましくは、背中合わせの粘着布式構造は、背中合わせの３層４面粘着布固定構造であり、湾曲したループを有する片面両粘着構造であってもよい。
【考案の効果】
【００１７】
従来技術と比較すると、本考案は以下の有益な効果を有する。本考案の構造は足首を支持するために、従来の前部足裏支持構造と比較して、より良いフィッティングとサポートの均一性の向上を実現し、靴のかかとの問題を解決し、つま先と足の裏に狭い空間があり靴をサポートできるという従来の問題を解決し、靴のかかとを水平位置にして靴のかかとを引き上げることにより、スリッパやスポーツシューズの機能を実現できる。
【図面の簡単な説明】
【００１８】
【図１】本考案の幅広ストリップ体の実施形態１の分解構造概略図である。
【図２】本考案の力吸収体の実施形態１の左側構造概略図である。
【図３】本考案の力吸収体の実施形態１の平面構造概略図である。
【図４】本考案の力吸収体の実施形態１の背面構造概略図である。
【図５】本考案の力吸収体の実施形態１の底面構造概略図である。
【図６】本考案の左側補強体の実施形態１の構造概略図である。
【図７】本考案の右側補強体の実施形態１の構造概略図である。
【図８】本考案の同じ接続部を有するロック体の実施形態１の分解構造概略図である。
【図９】本考案の異なる接続部を有するロック体の実施形態１の分解構造概略図である。
【図１０】本考案の幅広ストリップ体の実施形態２の分解構造概略図である。
【図１１】本考案の幅広ストリップ体の実施形態３の分解構造概略図である。
【図１２】本考案の力吸収体の実施形態２の左側構造概略図である。
【図１３】本考案の力吸収体の実施形態２の平面構造概略図である。
【図１４】本考案の力吸収体の実施形態２の背面構造概略図である。
【図１５】本考案の力吸収体の実施形態２の底面構造概略図である。
【図１６】本考案の補強体の実施形態２の左側構造概略図である。
【図１７】本考案の補強体の実施形態２の右側構造概略図である。
【図１８】本考案の補強体の実施形態３の左側構造概略図である。
【図１９】本考案の補強体の実施形態３の右側構造概略図である。
【図２０】本考案の同じ接続部を有するロック体の実施形態２の分解構造概略図である。
【図２１】本考案の異なる接続部を有するロック体の実施形態２の分解構造概略図である。
【図２２】本考案の同じ接続部を有するロック体の実施形態３の分解構造概略図である。
【図２３】本考案の異なる接続部を有するロック体の実施形態３の分解構造概略図である。
【考案を実施するための形態】
【００１９】
＜本考案の実施形態＞
図面は、力吸収体の２つの実施例を提供する。そのような力吸収構造を使用してさらに拡張される任意の実施例は、本考案の保護範囲に含まれる。
【００２０】
図１の幅広ストリップ体の実施形態１の分解図から分かるように、幅広ストリップ体の粘着布は、布と面ファスナーとの組合せからなり、左側はＡ１→Ａ２→Ａ４→Ａ６→Ａ８→Ａ１０で構成され、右側はＡ１→Ａ３→Ａ５→Ａ７→Ａ９→Ａ１１で構成され、Ａ１０とＡ１１は背中合わせの２面の一体式固定粘着布であり、中間層に配置され、Ａ１２とＡ１３は片面粘着布であり、下層と上層に位置する。
【００２１】
図２の力吸収体の実施形態１の左側面図を参照すると、力吸収体Ｃは柔軟な靴本体全体を表し、力吸収体全体を指し、足裏力吸収体Ｃ０と足首力吸収体Ｃ１で構成され、Ｃ１の中央に窪みがあり、窪みの深さは一定ではなく、窪みの最深点は幅広の帯の底まで下げることができ、窪みはまた、Ｖ字形、Ｏ字形であってもよく、Ｃ２は幅広穴であり、２つの穴の間は幅広ストリップ体の通過領域であり、Ｃ３は非力吸収領域であり、図では矩形状であり、あるいは、ハート型、矢印型、三角形、楕円型などであってもよく、異なる色や形の材料をくり抜いたり、埋めたりすることが可能であり、靴本体Ｃ４の白い領域は力吸収領域であり、垂直力吸収領域であり、下から上に傾斜した６つの垂直ストリップが延伸し、黒い斜線がその上に分布し、上に向かって先細りになり、シート上でＶ字形に配置され、収束し、Ｃ５は水平力吸収領域であり、水平接続はブリッジ接続または接着接続によって確立され、図では、靴は、つま先の中心点とかかとの中心を通る中心線によって、左半分と右半分に分割され、各半分では、６つの垂直斜めストライプと１つの足首半分が７つの垂直構造を形成し、その数は固定されておらず、増減でき、ヒール側Ａ１から順に、図示の幅広ストリップ体を、Ａ２→Ａ４→Ａ６→Ａ８→Ａ１０の順に力吸収体に通し、Ａ１０は背中合わせの一体式両面粘着布であり、Ａ１２とＡ１３の間に位置し、Ａ４とＡ６の間の折りたたみ箇所に、フォースガイド体Ｂ１-２が設けられ、両端は牽引体Ｂ１-３によって牽引され、靴底ロック体に固定される。
【００２２】
図３の力吸収体の実施形態１の平面図から分かるように、幅広ストリップ体は、力吸収体の内側および外側を通過し、力吸収体の４つの側面を通って延び、図３から分かるように、右側の幅広ストリップ体のコースは左側のコースと対称であり、右側コースは力吸収体をＡ１→Ａ３→Ａ５→Ａ７→Ａ９→Ａ１１の順に貫通し、上下２層の粘着布Ａ１１はＡ１２とＡ１３の間に粘着され、この下層固定粘着布Ａ１２はＶ字形に設計され、靴舌に固定され、上側はそれぞれ粘着布Ａ１０、Ａ１１に粘着され、この上層固定粘着布Ａ１３はＶ字形に設計され、粘着布Ａ１３はそれぞれＡ１０、Ａ１１に粘着され、Ａ１２に固定され、このＢ１-２、Ｂ２-２はフォースガイド体であり、補強体の一部であり、Ｂ１-２はＡ４とＡ６の間の折りたたみ箇所の上に位置し、Ｂ２-２はＡ５とＡ７の間の折りたたみ箇所の上に位置し、幅広ストリップ体のコースで力をガイドするのに役立ち、Ｃ６は２つの垂直ストリップの交差点であり、Ｃ７は複数の垂直ストリップの接着箇所である。
【００２３】
図４の力吸収体の実施形態１の背面図から分かるように、幅広ストリップ体Ａ１は、足首力吸収体Ｃ１の２つの幅広穴Ｃ２を通って横方向に延び、Ｃ１は靴のつま先の方向に水平位置にすることができ、スリッパの機能を果たす。足首力吸収体の中央に窪みがあり、Ｃ８は足首柔軟本体の窪みであり、Ｕ字形、Ｖ字形などであってもよく、窪みの最深点の深さは力吸収構造に応じて調整可能であり、ワンピース足首をツーピース足首に変換してから、幅広ストリップ体を貫通または接続することができる。
【００２４】
図５の力吸収体の実施形態１の底面図から分かるように、ロック体Ｂ１−１およびＢ２−１は、靴底の両側に横方向に示され、両端で、牽引体の断面の切り欠きを見ることができる。この断面は、ブレードまで上向きに延び、ロック体はＩ字形で、靴底の材料とともに、牽引体をロックするためのロック力を提供する。
【００２５】
図６の補強体の実施形態１の左側面図から分かるように、補強体は３つの構成要素、すなわち、ロック体Ｂ１-１、フォースガイド体Ｂ１-２、牽引体Ｂ１-３で構成され、ロック体Ｂ１-１は、Ｉ字形の内部ねじ付き管と２つの接続部で構成され、フォースガイド体Ｂ１-２は中空管であり、牽引体Ｂ１-３は金属ロープまたは合成繊維ロープである。
【００２６】
図７の補強体の実施形態１の右側面図から分かるように、補強体は、３つの構成要素、すなわち、ロック体Ｂ２-１、フォースガイド体Ｂ２-２、牽引体Ｂ２-３で構成され、ロック体Ｂ２-１は、Ｉ字形内部ねじ付き管と２つの接続部で構成され、２つの接続部は同じであってもよく、異なってもよく、フォースガイド体Ｂ２-２は中空管であり、牽引体Ｂ２-３は金属ロープまたは合成繊維ロープである。
【００２７】
図８のロック体の実施形態１の同じ接続部の分解図から分かるように、ロック体Ｂ１-１の内部には２つの同じ接続部Ｂ１-１-１が設けられ、ねじ付きカラム／スリーブの組み合わせの形で設計され、スリーブは押圧力によって牽引体に接続され、他端はねじで内部管のナットに接続される。
【００２８】
図９のロック体の実施形態２の異なる続部の分解図から分かるように、ロック体Ｂ１-１の内部にはＢ１-１-１とＢ１-１-２の２つの異なる接続部が設けられ、接続部Ｂ１-１-１はスリーブ／ねじ付きカラムの組合せの形で設計され、スリーブは押圧力によって牽引体に接続され、他端はねじ付きカラムで内部管のナットに接続される。Ｂ１-１-２はスリーブ／カラムの組合せの形で設計され、スリーブが牽引体に接続され、カラムが内部管のより厚い端部を通過し、内部管のロック穴の端部に係合される。一方、牽引体はロック穴を通過することができ、内部管の形状に応じて、ねじ付き締結、プレス締結、またはスナップ締結を使用してロック体を固定することが好ましく、ねじ締結の場合、２つの同一または異なる接続が内部管に割り当てられ、プレス締結の場合、引張力本体は、押圧力によってロック体の接続部の内部を押すことによって包まれ、スナップ締結の場合、内部管の両端に細い穴があり、そこにＩ字形のバーブ接続が挿入され、これにより、バーブは内部空間の細い穴に係合される。
【００２９】
フォースガイド体Ｂ１-２、Ｂ２-２は、Ｉ字形の中空管を使用し、幅広ストリップ体Ａ５とＡ６間の折り目、Ａ５とＡ７間の折り目に位置し、ａ字形の中空管を使用してもよい。
【００３０】
牽引体Ｂ１-３、Ｂ２-３の材料は、金属材料であることが好ましく、または合成繊維材料や天然材料であってもよい。編み方に関しては、細いマルチストランドロープが最も好ましく使用されるが、細いスロット付きワイヤーであってもよい。
【００３１】
実施形態１では、補強体Ｂの形状は矩形であり、２つの長方形を上下に並べた形状、三角形、三角形と長方形の組み合わせ、平面と正方形の組み合わせであってもよく、力吸収体の実施形態１の形状に基づき異なる幅広ストリップ体と補強体によって第１の実施例を構成する。
【００３２】
図１０の幅広ストリップ体の実施形態２の分解図から分かるように、幅広ストリップ体の実施形態２は実施形態１とは異なり、固定粘着布の形状はＶ字形ではなくＣ字形であり、実施形態２の背中合わせの一体式粘着布Ａ１０／Ａ１１は実施形態１のＡ１０／Ａ１１とは構造が異なり、実施形態１の２つの別々の粘着布は全体としてＣ字形の粘着布になり、Ａ１３はＡ８に直接接続し、上層の粘着布であり、Ｃ字形の粘着布Ａ１０／Ａ１１とＡ９が接続され中間層の粘着布であり、粘着布Ａ１２は下層粘着布であり、他の構造は幅広ストリップ体の実施形態１と同じであり、このような構造によって幅広ストリップ体を構成する。
第２の実施例
【００３３】
図１１の幅広ストリップ体の実施形態３の分解図から分かるように、幅広ストリップ体は、３つの部分に分かれ、Ａ１、Ａ２、Ａ３、Ａ４、Ａ５は中間層の幅広ストリップ体を形成し、Ａ１２、Ａ１２-１、Ａ１２-２は下層の幅広ストリップ体を形成し、Ａ１３、Ａ１３-１、Ａ１３-２は上層の幅広ストリップ体を形成し、各層の幅広ストリップ体の幅広ストリップ布の面積と固定面ファスナーの面積が互いに異なり、Ａ４とＡ５の領域は背中合わせの両面粘着布であり、Ａ１２、Ａ１２-１、Ａ１２-２は片面粘着布であり、Ａ１３、Ａ１３-１、Ａ１３-２は片面粘着布であり、上層粘着布は中間層粘着布に重ねられ、中間層粘着布は下層粘着布に重ねられ、下層粘着布は靴本体表面に固定され、この３つの部分は幅広ストリップ体の第３の実施例を構成する。
【００３４】
図１２の力吸収体の実施形態２の左側面図から分かるように、Ｃ０は足裏力吸収体であり、Ｃ１は足首力吸収体であり、Ｃ２は幅広穴であり、Ｃ４の数も６つであり、Ｃ５は２つのＣ４間に位置し、横方向に接続される。図から分かるように、幅広ストリップ体はＡ１→Ａ２→Ａ４の順に延び、Ａ４は最終的にＡ１２-１とＡ１３-１の間にクランプされ、Ａ１２-１は力吸収体に固定され、Ａ１３-１はＡ１３の方向に続き、Ａ１３はＡ１２に重ねられ、Ａ１２は力吸収体に固定され、固定粘着布Ａ１２-１、Ａ４、Ａ１３-１で３層構造を形成し、Ａ４は背中合わせの一体式両面粘着布であり、Ａ１２-１、Ａ１３-１はそれぞれ単層粘着布であり、３層４面の粘着布構造を形成し、Ｂ１-３は牽引体であり、２つのワイヤーが力吸収体を通って地面まで伸び、Ｂ１-２はフォースガイド体であり、中空管の形状を有し、牽引体を包み込み、その傾斜角度を変えることで幅広ストリップ体の折り曲げ角度を変えることができ、Ａ４とＡ２間に位置し、同じデザインが右側にも適用される。
【００３５】
この力吸収構造は実施形態１の力吸収体とは異なり、幅広ストリップ体は非力吸収領域Ｃ３を介して別の非力吸収領域を貫通して接続されておらず、垂直力吸収領域Ｃ４を貫通して支持されている。
【００３６】
図１３の力吸収体の実施形態２の平面図から分かるように、Ｃ４は垂直力吸収領域であり、垂直ストリップ形状を有し、Ｃ５は水平力吸収領域であり、破線で示すように接続されて力を吸収し、Ｃ６は２つの垂直ストリップの交差点であり、垂直ストリップはＶ字形に配置され、Ｃ７は複数の垂直ストリップの交差点であり、Ｃ９はＶ字形の非力吸収領域であり、細長いハート型の構造として設計され、その材料については、Ｃ３を参照されたい。図から、力吸収体の内側と外側を通る幅広ストリップ体のコースがわかり、右の力吸収体を通るコースはＡ１→Ａ３→Ａ５であり、背中合わせの粘着布Ａ５の上下両面粘着布がＡ１２-２とＡ１３-２の間に配置され、この下層固定粘着布Ａ１２はＶ字形に設計され、力吸収体の上端に固定され、その上側はＶ字形の粘着布Ｂ１３に粘着され、この２層粘着布はさらに発展させてＣ字形または湾曲させることができ、このＢ１-２、Ｂ２-２はフォースガイド体であり、Ｂ１-２はＡ２とＡ４の間の折りたたみ箇所の上に位置し、Ｂ２-２はＡ３とＡ５の間の折りたたみ箇所の上に位置し、幅広ストリップ体のコースで力をガイドするのに役立つ。
【００３７】
図１４の力吸収体の実施形態２の背面図から分かるように、幅広ストリップ体Ａ１は足首力吸収体Ｃ１の２つの幅広穴Ｃ２を横方向に貫通し、Ａ２、Ａ３はそれぞれ力吸収体を左右に貫通し、Ａ４はＡ１２-１とＡ１３-１の間に固定され、Ａ５はＡ１２-２とＡ１３-２の間に固定され、Ａ１３はＡ１２の上に重ねられる。
【００３８】
図１５の力吸収体の実施形態２の底面図から分かるように、同様に、靴底の両側のロック体Ｂ１-１とＢ２-１が見え、牽引体はねじまたは押圧力を介してロック体に接続され、ロック体は、靴底材料を介してロックすることにより、牽引体をロックする役割を果たす。
【００３９】
図１６の補強体の実施形態２の左側面図から分かるように、補強体は、３つの構成要素、すなわち、ロック体Ｂ１-１、フォースガイド体Ｂ１-２、牽引体Ｂ１-３で構成され、ロック体Ｂ１-１はＵ字形であり、ロック体の実施形態１の分解図、および実施形態２の分解図を参照すると、同じ接続または異なる接続を接続として設計し、それにより２種類の実施形態がそれに応じて考えられる。
【００４０】
図１７の補強体の実施形態２の右側面図から分かるように、補強体は、３つの構成要素、すなわち、ロック体Ｂ２-１、フォースガイド体Ｂ２-２、牽引体Ｂ２-３で構成され、機能および接続方式は補強体の実施形態２の左側面図と同様である。
【００４１】
図１８の補強体の実施形態３の左側面図から分かるように、補強体は、３つの構成要素、すなわち、ロック体Ｂ１-１、フォースガイド体Ｂ１-２、牽引体Ｂ１-３で構成され、ロック体Ｂ１-１は互いに独立した２つの同一の逆Ｔ字形要素に分割され、ロック体の実施形態１分解図および実施形態２の分解図を参照すると、ロック体の接続部も同様に２種類の実施形態がそれに応じて考えられる。
【００４２】
図１９の補強体の実施形態３の右側面図から分かるように、補強体は、３つの構成要素、すなわち、ロック体Ｂ２-１、フォースガイド体Ｂ２-２、牽引体Ｂ２-３で構成され、ロック体Ｂ２-１は２つの同一の逆Ｔ字形要素に分割され、機能および接続方式は補強体の実施形態３の左側面図と同様である。
【００４３】
図２０の同じ接続部を有するロック体の実施形態２の分解図から分かるように、この接続部は同じ接続部であり、両方ともねじ付きカラム／スリーブ接続部構造である。
【００４４】
図２１の異なる接続部を有するロック体の実施形態２の分解図から分かるように、この接続部は異なる接続部である。ねじ付きカラム／スリーブ接続部とスリーブ／カラム接続部から構成される。
【００４５】
図２２の同じ接続部を有するロック体の実施形態３の分解図から分かるように、この接続部は同じ接続部である。２つのねじ付きカラム／スリーブ接続部で構成される。
【００４６】
図２３の異なる接続部を有するロック体の実施形態３の分解図から分かるように、この接続部は異なる接続部であり、ねじ付きカラム／スリーブ接続部とスリーブ／カラム接続部で構成される。
【００４７】
ロック体は、好ましくは内部管として設計され、フラット体の両端に内部管が接続されてもよく、ロック体を接続するために、ねじ固定に加えて、押圧力固定をロック体のすべての実施形態に使用することができる。
【００４８】
補強体を形成するために、シングルストランドまたはマルチストランドのロープが靴底の上層と下層を通過し、靴底材料のブロッキングにより、靴底の下側にブロック接続ロープが形成され、ブロックがロープの上段により幅広ストリップ体を牽引することで、力吸収体が吸収できる引張力を高め、ロック体は最も好ましくはＩ字形の内部管として設計され、フラットな体であってもよく、ロック体の形状は、十字形、Ｘ形、Ｙ形、Ｏ形、Ｌ形などであってもよく、このような構造で設計された補強体はすべて本考案の保護範囲に含まれる。
【００４９】
力吸収体の実施形態２の形状に基づく実施形態は第２の実施例を構成する。
【００５０】
力吸収体の２つの例示的な実施例における各部品は、さらなる設計オプションを得るために、幅広ストリップの代わりに、ワイヤーを力吸収体の４つの面を貫通させ支持する方式、および本考案の構成に基づいて作成される例示的な実施形態も、本考案の保護範囲に含まれる。
【符号の説明】
【００５１】
Ａ        幅広ストリップ体
Ｂ        補強体
Ｃ        力吸収体
Ａ１      幅広ストリップ体位置１
Ａ２      幅広ストリップ体位置２
Ａ３      幅広ストリップ体位置３
Ａ４      幅広ストリップ体位置４
Ａ５      幅広ストリップ体位置５
Ａ６      幅広ストリップ体位置６
Ａ７      幅広ストリップ体位置７
Ａ８      幅広ストリップ体位置８
Ａ９      幅広ストリップ体位置９
Ａ１０    左中間層粘着布
Ａ１１    右中間層粘着布
Ａ１２    下層固定粘着布
Ａ１３    上層固定粘着布
Ｂ１      左側補強体１
Ｂ２      右側補強体２
Ｃ０      足裏力吸収体
Ｃ１      足首力吸収体
Ｃ２      足首穴貫通
Ｃ３      非力吸収領域
Ｃ４      垂直力吸収領域
Ｃ５      水平力吸収領域
Ｂ１-１  左側ロック体
Ｂ２-１  右側ロック体
Ｂ１-２  左側フォースガイド体
Ｂ２-２  右側フォースガイド体
Ｂ１-３  左側牽引体
Ｂ２-３  右側牽引体
Ａ１０／Ａ１１  中間層固定粘着布
Ａ１２-１        左側下固定粘着布１
Ａ１２-２        右側下固定粘着布２
Ａ１３-１        左側上固定粘着布１
Ａ１３-２        右側下固定粘着布２
【図１】
0003231075.tif 000003
【図２】
0003231075.tif 000004
【図３】
0003231075.tif 000005
【図４】
0003231075.tif 000006
【図５】
0003231075.tif 000007
【図６】
0003231075.tif 000008
【図７】
0003231075.tif 000009
【図８】
0003231075.tif 000010
【図９】
0003231075.tif 000011
【図１０】
0003231075.tif 000012
【図１１】
0003231075.tif 000013
【図１２】
0003231075.tif 000014
【図１３】
0003231075.tif 000015
【図１４】
0003231075.tif 000016
【図１５】
0003231075.tif 000017
【図１６】
0003231075.tif 000018
【図１７】
0003231075.tif 000019
【図１８】
0003231075.tif 000020
【図１９】
0003231075.tif 000021
【図２０】
0003231075.tif 000022
【図２１】
0003231075.tif 000023
0003231075.tif 000024
【図２２】
0003231075.tif 000025
【図２３】
0003231075.tif 000026